(57)【要約】【課題】撮影時に使用者に対して警告を出力すること。【解決手段】制御装置１０４は、使用者からの撮影に関する機能の設定を受け付けたときに、使用者の累積ポイント数と設定された機能の必要ポイント数とに基づいて、使用者に警告を行うか否かを判定し、警告を行うと判定した場合に、警告情報を出力する。そして、制御装置１０４は、設定された撮影に関する機能に応じて、使用者の累積ポイントを更新する。【選択図】図１
2009200895.tif 000002
【特許請求の範囲】
【請求項１】
撮影に関する機能とその機能の難易度を示す情報とを関連付けた難易度情報、および使用者の習熟度を示す習熟度情報を記録するための記憶媒体と、
使用者からの前記撮影に関する機能の設定を受け付ける設定受付手段と、
前記設定受付手段が前記撮影に関する機能の設定を受け付けたときに、前記難易度情報と前記習熟度情報とに基づいて、使用者に警告を行うか否かを判定する判定手段と、
前記判定手段が前記警告を行うと判定した場合に、警告情報を出力する警告情報出力手段と、
前記設定手段で設定を受け付けた前記撮影に関する機能に応じて、前記習熟度情報を更新する習熟度情報更新手段とを備えることを特徴とするカメラ。
【請求項２】
請求項１に記載のカメラにおいて、
前記習熟度情報は、使用者の習熟度を累積ポイント数によって表した情報であって、
前記撮影に関する機能には、それぞれの難易度に応じた加算ポイント数が割り当てられており、
前記習熟度情報更新手段は、前記設定手段で設定を受け付けた前記撮影に関する機能に割り当てられている前記加算ポイント数を、前記累積ポイント数に加算して更新することを特徴とするカメラ。
【請求項３】
請求項２に記載のカメラにおいて、
前記撮影に関する機能には、それぞれの難易度に応じて、使用者に対して警告を出さないようにするための必要ポイント数が前記難易度情報として割り当てられており、
前記判定手段は、前記累積ポイント数が、前記設定受付手段で受け付けた前記撮影に関する機能に割り当てられている前記必要ポイント数未満である場合に、使用者に対して警告を行うと判定することを特徴とするカメラ。
【請求項４】
請求項３に記載のカメラにおいて、
使用者によるカメラの使用頻度を判定する使用頻度判定手段と、
前記使用頻度判定手段による判定結果に基づいて、前記撮影に関する機能に割り当てられている前記必要ポイント数を変更する必要ポイント数変更手段をさらに備えることを特徴とするカメラ。
【請求項５】
請求項２〜４のいずれか一項に記載のカメラにおいて、
前記習熟度情報更新手段は、前記設定手段で設定を受け付けた前記撮影に関する機能を使用して撮影が行われた後、所定時間以内にそのときに取得された画像データが削除された場合には、その画像データを取得した際に加算した前記加算ポイント数を前記累積ポイント数から減算することを特徴とするカメラ。
【請求項６】
請求項２〜４のいずれか一項に記載のカメラにおいて、
前記習熟度情報更新手段は、前記設定手段で設定を受け付けた前記撮影に関する機能を使用して撮影が行われた後、所定時間以内にそのときに取得された画像データが削除された場合には、前記累積ポイント数から所定ポイント数を減算することを特徴とするカメラ。
【請求項７】
請求項２〜６のいずれか一項に記載のカメラにおいて、
前記習熟度情報更新手段は、前記設定受付手段が複数の前記撮影に関する機能の設定を受け付けた場合には、受け付けた各機能のそれぞれに割り当てられている前記加算ポイント数の合算値を前記累積ポイントに加算することを特徴とするカメラ。
【請求項８】
請求項２〜７のいずれか一項に記載のカメラにおいて、
前記習熟度情報更新手段は、前記設定受付手段が複数の前記撮影に関する機能の設定を受け付けたときに、使用者がその機能を繰り返し設定していた場合と、使用者が他の機能からその機能に変更した場合とで、前記加算ポイント数を変更することを特徴とするカメラ。
【請求項９】
請求項１〜８のいずれか一項に記載のカメラにおいて、
前記警告情報出力手段は、アイコン、文字、および音声の少なくともいずれか１つにより前記警告情報を出力することを特徴とするカメラ。
【請求項１０】
請求項１〜９のいずれか一項に記載のカメラにおいて、
前記警告情報出力手段は、使用者による撮影操作の前、および後のいずれかの時点で前記警告情報を出力することを特徴とするカメラ。
【請求項１１】
請求項１〜１０のいずれか一項に記載のカメラにおいて、
使用者が複数人いる場合には、各使用者ごとに前記習熟度情報が記録されており、
使用者を特定する特定手段をさらに備え、
前記習熟度情報更新手段は、特定手段で特定した使用者の前記習熟度情報を更新することを特徴とするカメラ。
【請求項１２】
請求項１〜１１のいずれか一項に記載のカメラにおいて、
前記習熟度情報更新手段は、前記設定受付手段が受け付けた前記撮影に関する機能を使用して撮影が行われた場合にのみ、前記習熟度情報を更新することを特徴とするカメラ。
【請求項１３】
請求項１〜１２のいずれか一項に記載のカメラにおいて、
他のカメラと接続するための接続手段と、
前記接続手段を介して前記他のカメラと接続された場合に、接続先のカメラとの間で前記累積ポイントの同期をとる同期手段とをさらに備えることを特徴とするカメラ。
【発明の詳細な説明】
【技術分野】
【０００１】
本発明は、撮影を行うためのカメラに関する。
【背景技術】
【０００２】
次のような測定機が知られている。この測定機は、使用者が測定機を操作した通算の時間を計時し、その通算の時間、および使用者に提示した質問に対する回答内容に基づいて、使用者の習熟度を判定し、その判定結果に基づいて使用者が操作可能な機能を変更する（例えば、特許文献１）。
【０００３】
【特許文献１】特開２００４−２８６０５号公報
【発明の開示】
【発明が解決しようとする課題】
【０００４】
従来の測定機では、使用者が操作した通算の時間と質問に対する回答内容に基づいて使用者の習熟度を判定していた。このため、使用者が使用した機能の難易度とは関係なく使用者の習熟度が判定されてしまう可能性があった。
【課題を解決するための手段】
【０００５】
本発明によるカメラは、撮影に関する機能とその機能の難易度を示す情報とを関連付けた難易度情報、および使用者の習熟度を示す習熟度情報を記憶媒体に記録しておき、使用者からの撮影に関する機能の設定を受け付け、撮影に関する機能の設定を受け付けたときに、難易度情報と習熟度情報とに基づいて、使用者に警告を行うか否かを判定し、警告を行うと判定した場合に、警告情報を出力し、設定を受け付けた撮影に関する機能に応じて、習熟度情報を更新することを特徴とする。
本発明のカメラでは、習熟度情報は、使用者の習熟度を累積ポイント数によって表した情報であって、撮影に関する機能には、それぞれの難易度に応じた加算ポイント数が割り当てられており、設定を受け付けた撮影に関する機能に割り当てられている加算ポイント数を、累積ポイント数に加算して更新するようにしてもよい。
撮影に関する機能には、それぞれの難易度に応じて、使用者に対して警告を出さないようにするための必要ポイント数が難易度情報として割り当てられており、累積ポイント数が、受け付けた撮影に関する機能に割り当てられている必要ポイント数未満である場合に、使用者に対して警告を行うと判定するようにしてもよい。
使用者によるカメラの使用頻度を判定し、判定結果に基づいて、撮影に関する機能に割り当てられている必要ポイント数を変更するようにしてもよい。
設定を受け付けた撮影に関する機能を使用して撮影が行われた後、所定時間以内にそのときに取得された画像データが削除された場合には、その画像データを取得した際に加算した加算ポイント数を累積ポイント数から減算するようにしてもよい。
設定を受け付けた撮影に関する機能を使用して撮影が行われた後、所定時間以内にそのときに取得された画像データが削除された場合には、累積ポイント数から所定ポイント数を減算するようにしてもよい。
複数の撮影に関する機能の設定を受け付けた場合には、受け付けた各機能のそれぞれに割り当てられている加算ポイント数の合算値を累積ポイントに加算するようにしてもよい。
複数の撮影に関する機能の設定を受け付けたときに、使用者がその機能を繰り返し設定していた場合と、使用者が他の機能からその機能に変更した場合とで、加算ポイント数を変更するようにしてもよい。
アイコン、文字、および音声の少なくともいずれか１つにより警告情報を出力するようにしてもよい。
使用者による撮影操作の前、および後のいずれかの時点で警告情報を出力するようにしてもよい。
使用者が複数人いる場合には、各使用者ごとに習熟度情報が記録されており、使用者を特定し、特定した使用者の習熟度情報を更新するようにしてもよい。
受け付けた撮影に関する機能を使用して撮影が行われた場合にのみ、習熟度情報を更新するようにしてもよい。
他のカメラと接続された場合に、接続先のカメラとの間で累積ポイントの同期をとるようにしてもよい。
【発明の効果】
【０００６】
本発明によれば、使用者が使用した機能の難易度を加味して使用者の習熟度を判定することができる。
【発明を実施するための最良の形態】
【０００７】
図１は、本実施の形態におけるカメラ１００の一実施の形態の構成を示すブロック図である。カメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の入力部材、例えば電源ボタン、レリーズボタン、ズームボタン、十字キー、決定ボタン、再生ボタン、削除ボタンなどを含んでいる。
【０００８】
レンズ１０２は、複数の光学レンズ群から構成されるが、図１では代表して１枚のレンズで表している。撮像素子１０３は、例えばＣＣＤやＣＭＯＳであり、レンズ１０２により結像した被写体像を撮像する。そして、撮像によって得られた画像データを制御装置１０４へ出力する。制御装置１０４は、撮像素子１０３から入力された画像データに基づいて、所定の形式の画像ファイルを生成して、メモリカードスロット１０５へ出力する。なお、制御装置１０４は、撮像素子１０３から入力された画像データに基づいてサムネイル画像を作成し、各画像ファイル内にこのサムネイル画像を記録する。
【０００９】
メモリカードスロット１０５は、記憶媒体としてのメモリカードを挿入するためのスロットであり、制御装置１０４から出力された画像ファイルをメモリカードに書き込んで記録する。また、メモリカードスロット１０５は、制御装置１０４からの指示に基づいて、メモリカード内に記憶されている画像ファイルを読み込む。
【００１０】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。また、制御装置１０４は、撮像素子１０３から連続して画像を取得してモニタ１０６に出力することによって、モニタ１０６にスルー画を表示する。
【００１１】
制御装置１０４は、ＣＰＵ、メモリ、およびその他の周辺回路により構成され、カメラ１００を制御する。なお、制御装置１０４を構成するメモリには、ＲＡＭやフラッシュメモリが含まれる。ＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１２】
本実施の形態におけるカメラ１００では、制御装置１０４は、使用者による撮影操作に基づいて、使用者の習熟度を示す習熟度情報としてのポイント（得点）を加算していく。なお、カメラ１００の購入時の使用者の初期ポイント数は０ポイントであるものとする。また、加算するポイント数は、使用者が撮影時に設定した機能ごとに異なるように、あらかじめ設定されている。このとき、使用者が難易度の高い機能を使用して撮影を行った場合には、多くのポイント数を加算し、使用者が難易度の低い機能を使用して撮影を行った場合には、少ないポイント数を加算するようにする。
【００１３】
例えば、制御装置１０４は、使用者が、難易度が最も高い機能であるスポット測光、ホワイトバランス微調整、プリセットホワイトバランス、ミラーアップ撮影、およびユーザーカスタム階調補正カーブのいずれかを設定して撮影を行った場合には、使用者に対して付加されている累積ポイント数に５ポイントを加算する。また、制御装置１０４は、使用者が２番目に難易度が高い機能であるマニュアル露出を設定して撮影を行った場合には、使用者の累積ポイント数に４ポイントを加算し、使用者が３番目に難易度が高い機能であるＡＥロック、およびＡＦロックを設定して撮影を行った場合には、使用者の累積ポイント数に３ポイントを加算する。
【００１４】
さらに、制御装置１０４は、使用者が４番目に難易度が高い機能である露出補正、シーンモード設定、ホワイトバランス設定、ノイズ除去、およびフォーカスエリア選択を設定して撮影を行った場合には、使用者の累積ポイント数に２ポイントを加算し、使用者が５番目に難易度が高い機能である露出モードを設定して撮影を行った場合には、使用者の累積ポイント数に１ポイントを加算する。
【００１５】
また、制御装置１０４は、使用者が難易度が低いその他の機能、例えばオートモードやプログラムオートの設定を行って撮影を行った場合には、使用者の累積ポイント数に対するポイントの加算を行わない。なお、これらの各機能と加算ポイント数との対応関係は、あらかじめ設定されてフラッシュメモリに記録されている。また、制御装置１０４は、使用者に対して付加したポイント数の累計値（累積ポイント数）をフラッシュメモリに記録しておく。
【００１６】
また、本実施の形態では、制御装置１０４は、使用者が上記ポイント加算対象の機能を２つ以上組み合わせて設定した場合には、設定したそれぞれの機能に対応するポイント数の合算値を使用者の累積ポイント数に加算する。例えば、使用者がスポット測光とマニュアル露出を組み合わせて設定した場合には、制御装置１０４は、スポット測光設定時のポイント数である５ポイントと、マニュアル露出設定時のポイント数である４ポイントとの合計値、すなわち９ポイントを使用者の累積ポイント数に加算する。
【００１７】
なお、本実施の形態では、制御装置１０４は、使用者によって撮影が行われた場合にのみ、撮影時の機能に応じたポイント数を加算するようにし、使用者が設定を行ったのみで撮影を行わなかった場合には、ポイントを加算しない。また、制御装置１０４は、使用者が撮影を行った後、一定時間以内にその画像を削除した場合には、その写真は失敗写真だったものとみなして、そのときに加算したポイント数を累積ポイント数から減算する。
【００１８】
例えば、制御装置１０４は、撮影によって取得した画像のファイル名、その画像の撮影時に加算されたポイント数、および画像の撮影日時を関連付けてフラッシュメモリ内にポイント加算履歴として保持しておく。制御装置１０４は、使用者によって画像が削除された場合には、ポイント加算履歴内から、削除された画像のファイル名に関する情報を取得する。そして、制御装置１０４は、削除された日時と履歴内に記録されている撮影日時とを比較して、その画像が撮影後、所定時間以内に画像が削除されたと判断した場合には、ポイント加算履歴を参照して、その画像を撮影したときの加算ポイント数を累積ポイント数から減算する。
【００１９】
制御装置１０４は、使用者に対して付与されている累積ポイント数に基づいて、使用者のカメラ１００に対する習熟度を判定する。制御装置１０４は、使用者のカメラ１００に対する習熟度に基づいて、撮影時に使用者に対して警告を出すか否かを判断する。例えば、使用者が難易度が高い機能を使用して撮影を行おうとしたときに、その使用者がカメラ１００に習熟していない場合には、使用者をサポートするために警告を出す必要がある。これに対して、使用者がカメラ１００に習熟している場合には、警告を出す必要はない。
【００２０】
本実施の形態のカメラ１００では、撮影時に設定することが可能な各機能ごとに、警告を出さないようするために必要なポイント数が難易度情報として設定されている。例えば、上述した難易度が最も高い機能に相当するスポット測光、ホワイトバランス微調整、プリセットホワイトバランス、およびミラーアップ撮影に対しては必要ポイント数として１００ポイントが設定されている。また、２番目に難易度が高い機能であるマニュアル露出に対しては必要ポイント数として８０ポイントが設定されている。
【００２１】
また、３番目に難易度が高い機能であるＡＥロック、およびＡＦロックに対しては必要ポイント数として５０ポイントが設定されており、４番目に難易度が高い機能である露出補正、シーンモード設定、ホワイトバランス設定、ノイズ除去に対しては必要ポイント数として３０ポイントが設定されている。なお、これらの各機能ごとの必要ポイント数は、あらかじめ設定されてフラッシュメモリに記録されている。
【００２２】
制御装置１０４は、使用者によって撮影時に使用する機能（撮影時の機能）が選択されたときに、その機能に対して設定されている必要ポイント数と使用者の現在の累積ポイント数とを比較する。そして、制御装置１０４は、比較の結果、使用者の累積ポイント数がその機能の必要ポイント数以上である場合には、使用者に対して警告を行わない。これに対して、制御装置１０４は、使用者の累積ポイント数がその機能の必要ポイント数未満である場合には、使用者に対して警告を行う。
【００２３】
これによって、制御装置１０４は、撮影時に使用する機能の難易度に比して使用者の習熟度が低い場合には、撮影時に警告を出すようにして使用者をサポートすることができる。一方、撮影時に使用する機能の難易度に比して使用者の習熟度が高い場合には、警告を出さないようにして、使用者が警告を煩わしく感じることを防ぐことができる。
【００２４】
図２は、ファインダー内にアイコンを表示することによって、使用者に対して警告する場合の具体例を示す図である。例えば、使用者によって撮影時の機能としてスポット測光が設定された場合には、制御装置１０４は、警告の有無に関わらず、図２（ａ）に示すようにファインダー内に測光方法がスポット測光であることを示すアイコン２ａを表示する。そして、制御装置１０４は、使用者の累積ポイント数がスポット測光設定時の必要ポイント数未満である場合には、このアイコン２ａを点滅させることによって、使用者に対して警告する。
【００２５】
また、図２（ａ）に示す例では、使用者によって設定された機能がファインダー内にアイコン表示される機能であったため、そのアイコンを点滅させることで警告を行うことができたが、使用者によって設定された機能がファインダー内にアイコン表示される機能で無い場合には、アイコンを点滅させることができない。この場合には、制御装置１０４は、図２（ｂ）に示すように、ファインダー内に警告アイコン２ｂを表示、または点滅表示する。さらに、本実施の形態では、使用者に対して分かりやすい警告をするために、制御装置１０４は、モニタ１０６に警告メッセージを表示してもよい。
【００２６】
あるいは、ファインダー内に警告メッセージを表示するようにしてもよい。また、カメラ１００がスピーカを搭載している場合には、音声によって警告を行うようにしても良い。制御装置１０４は、警告情報としてアイコン、文字、および音声の少なくともいずれか１つにより警告すればよく、これらの警告情報のいずれを出力するかは、あらかじめ設定されていてもよく、使用者が選択できるようにしてもよい。
【００２７】
これによって、使用者は、設定した機能が自身の習熟度に比して難易度が高い機能であることを把握することができ、慎重に撮影を行うことができるようになる。そして、制御装置１０４は、使用者によってレリーズボタンが操作されて撮影が行われると、上述したように、そのときに設定されていた機能に応じたポイントを使用者の累積ポイント数に加算する。
【００２８】
図３は、本実施の形態のカメラ１００の処理を示すフローチャートである。図３に示す処理は、使用者によって操作部材１０１に含まれる電源ボタンが操作されることにより、カメラ１００の電源がオンされると起動するプログラムとして、制御装置１０４により実行される。なお、このプログラムのデータは、制御装置１０４が備えるフラッシュメモリに記録されており、制御装置１０４は、当該プログラムをフラッシュメモリからワークメモリとしてのＲＡＭ上に読み込んで実行する。
【００２９】
ステップＳ１０において、制御装置１０４は、使用者によって操作部材１０１が操作されることにより、カメラ１００の撮影に関する設定、すなわち撮影時に使用する機能の設定がなされたか否かを判断する。否定判断した場合には、後述するステップＳ４０へ進む。これに対して、肯定判断した場合には、ステップＳ２０へ進む。ステップＳ２０では、制御装置１０４は、使用者の累積ポイント数が使用者によって撮影時に使用するように設定された機能の必要ポイント数以上であるか否かを判断する。
【００３０】
否定判断した場合には、ステップＳ３０へ進み、制御装置１０４は、図２（ａ）に示したようにファインダー内のアイコン２ａを点滅させたり、図２（ｂ）に示したようにファインダー内に警告用のアイコン２ｂを表示したりして、使用者に対して警告する。また、制御装置１０４は、モニタ１０６に警告メッセージを表示したり、ファインダー内に警告メッセージを表示したり、警告音声を出力したりしてもよい。その後、ステップＳ４０へ進む。これに対して、ステップＳ２０で肯定判断した場合には、そのままステップＳ４０へ進む。
【００３１】
ステップＳ４０では、制御装置１０４は、使用者によって操作部材１０１に含まれるレリーズボタンが押下されたか否かを判断する。否定判断した場合には、後述するステップＳ１００へ進む。これに対して、肯定判断した場合には、ステップＳ５０へ進む。ステップＳ５０では、制御装置１０４は、撮影処理を行なって画像データを取得する。その後、ステップＳ６０へ進む。
【００３２】
ステップＳ６０では、制御装置１０４は、撮影時に設定されていた機能が、上述したようなポイント加算対象の機能であるか否かを判断する。なお、制御装置１０４は、上述したようにフラッシュメモリに記録されている各機能と加算ポイント数との対応関係を示すデータを参照して、設定されていた機能に対して加算ポイント数が割り当てられているかを判定することにより、当該機能がポイント加算対象の機能であるか否かを判断することができる。
【００３３】
ステップＳ６０で肯定判断した場合には、ステップＳ７０へ進み、フラッシュメモリに記録されている使用者の累積ポイント数に、その機能に割り当てられている加算ポイント数を加算して、フラッシュメモリに記録されている使用者の累積ポイント数を更新する。その後、ステップＳ８０へ進む。これに対して、ステップＳ６０で否定判断した場合には、そのままステップＳ８０へ進む。
【００３４】
ステップＳ８０では、制御装置１０４は、上述したように、フラッシュメモリに記録されているポイント加算履歴を参照して、使用者によって撮影後所定時間以内に画像データが削除されたか否かを判断する。否定判断した場合には、後述するステップＳ１００へ進む。これに対して、肯定判断した場合には、ステップＳ９０へ進む。ステップＳ９０では、制御装置１０４は、ポイント加算履歴を参照して、その画像を撮影したときの加算ポイント数を累積ポイント数から減算する。その後、ステップＳ１００へ進む。
【００３５】
ステップＳ１００では、制御装置１０４は、使用者によって操作部材１０１に含まれる電源ボタンが押下されることにより、カメラ１００の電源オフが指示されたか否かを判断する。否定判断した場合には、ステップＳ１０に戻って処理を繰り返す。これに対して、肯定判断した場合には、処理を終了する。
【００３６】
以上説明した本実施の形態によれば、以下のような作用効果を得ることができる。
（１）制御装置１０４は、使用者からの撮影に関する機能の設定を受け付けたときに、使用者の累積ポイント数と設定された機能の必要ポイント数とに基づいて、使用者に警告を行うか否かを判定し、警告を行うと判定した場合に、警告情報を出力する。そして、制御装置１０４は、設定された撮影に関する機能に応じて、使用者の累積ポイントを更新する。これによって、使用者が操作した機能の難易度を加味して使用者の習熟度を判定することができる。また、使用者が操作した機能の難易度と、使用者の習熟度とに基づいて、使用者に対して警告を出すか否かを判定することが可能となる。
【００３７】
（２）制御装置１０４は、設定を受け付けた撮影に関する機能に割り当てられている加算ポイント数を、使用者の累積ポイント数に加算して更新するようにした。これによって、各機能の難易度に応じて割り当てられている加算ポイント数を加算するだけの簡易な処理で、使用者の習熟度を判断するための習熟度情報を更新することができる。
【００３８】
（３）制御装置１０４は、使用者の累積ポイント数が、撮影に関する機能に割り当てられている必要ポイント数未満である場合に、使用者に対して警告を行うようにした。これによって、使用者が使用しようとしている機能の難易度が使用者の習熟度に比して高い場合に、効果的に警告を出すことができる。
【００３９】
（４）制御装置１０４は、撮影が行われた後、所定時間以内に画像データが削除された場合には、その画像データを取得した際に加算した加算ポイント数を使用者の累積ポイント数から減算するようにした。これによって、撮影した写真が失敗写真だった場合には、使用者の習熟度は上がっていない可能性が高いことを加味して、そのときに加算したポイントを取り消すことができる。
【００４０】
（５）制御装置１０４は、使用者がポイント加算対象の機能を２つ以上組み合わせて設定した場合には、設定したそれぞれの機能に対応するポイント数の合算値を使用者の累積ポイント数に加算するようにした。これによって、使用者が複数の機能を組み合わせて設定した場合であっても、それぞれの機能の難易度に基づく加算ポイント数を累積ポイント数に反映させることができる。
【００４１】
（６）制御装置１０４は、アイコン、文字、および音声の少なくともいずれか１つにより警告情報を出力するようにした。これによって、使用者は、視覚的、または聴覚的に警告内容を把握することができる。
【００４２】
（７）制御装置１０４は、使用者による撮影操作の前の時点で警告情報を出力するようにした。これによって、設定した機能が自身の習熟度に比して難易度が高い機能であることを撮影前に把握することができ、慎重に撮影を行うことができるようになるため、撮影の失敗を防ぐことができる。
【００４３】
（８）制御装置１０４は、撮影に関する機能を使用して撮影が行われた場合にのみ、累積ポイント数を更新するようにした。これによって、設定を行ったのみで撮影を行わない場合には、使用者の習熟度は向上していない可能性が高いことを加味して、適切なポイントの付加を行うことができる。
【００４４】
―変形例―
なお、上述した実施の形態のカメラは、以下のように変形することもできる。
（１）上述した実施の形態では、フラッシュメモリに使用者の累積ポイント数を記録しておき、この累積ポイント数に基づいて、撮影時に警告を表示するか否かを判定するようにした。この場合、複数の使用者が１台のカメラ１００を使用する場合、どの使用者に対しても同じ累積ポイント数に基づいた判定が行われる。しかしながら、制御装置１０４は、カメラ１００を使用する使用者が複数いる場合には、各使用者ごとに累積ポイント数を管理するようにしてもよい。
【００４５】
この場合、制御装置１０４は、使用者に対してユーザーＩＤを入力させたり、公知の指紋認証技術を使用したりして、使用者を特定する。そして、制御装置１０４は、フラッシュメモリ内にユーザーＩＤと累積ポイント数とを関連付けて記録しておき、撮影時には、特定した使用者用の累積ポイント数を用いて警告を表示するか否かの判定を行う。また、特定した使用者用の累積ポイント数に対してポイントを加算する。これによって、カメラ１００を複数の使用者が共有して使用する場合であっても、各使用者ごとに累積ポイント数を管理することができ、各使用者の習熟度に応じた警告表示を行うことができる。
【００４６】
（２）上述した実施の形態では、制御装置１０４は、撮影が行われた場合には、使用者によって設定された機能に応じたポイント数を使用者の累積ポイント数に加算する例について説明した。しかしながら、使用者が同じ機能を使用するように設定した状態で撮影を繰り返した場合には、最初の所定回数、例えば３回までは、その機能に応じたポイント数を加算するようにし、それ以降は加算しないようにしてもよい。また、使用者が同じ機能を使用するように設定した状態で撮影を繰り返した場合には、徐々に獲得できるポイント数を減らしていき、設定を変更した場合には、獲得できるポイントを通常の獲得ポイントよりも多くするようにしてもよい。これによって、同じ機能のみを繰り返し使用する使用者がポイント上は習熟度が高いようにみなされてしまうことを防ぐことができる。
【００４７】
（３）上述した実施の形態では、制御装置１０４は、撮影の際にファインダー内やモニタ１０６に警告を表示するようにした。しかしながら制御装置１０４は、撮影後にファインダー内やモニタ１０６に警告を表示するようにしてもよい。例えば、撮影後に「今の撮影はスポット測光で行いましたがよろしいですか？」などのメッセージを表示するようにしてもよい。
【００４８】
（４）上述した実施の形態では、制御装置１０４は、使用者が撮影を行った後、一定時間以内にその画像を削除した場合には、その写真は失敗写真だったものとみなして、そのときに加算したポイント数を累積ポイント数から減算するようにした。しかしながら、制御装置１０４は、撮影後一定時間内に画像が削除された場合には、画像１枚につき一律１ポイントを累積ポイント数から減算するようにしてもよい。また、制御装置１０４は、撮影日からの経過日が所定以上、例えば２年以上の画像を特定し、その画像の撮影時に加算されたポイントを累積ポイント数から減算するようにしてもよい。
【００４９】
（５）上述した実施の形態では、使用者の初期ポイントは０ポイントである場合について説明した。しかしながら、制御装置１０４は、使用者のカメラ１００に対する習熟度を判定して、その習熟度に応じた初期ポイントを付加するようにしてもよい。例えば、制御装置１０４は、使用者がカメラ１００の初期設定を完了させるまでの所要時間を計測し、その所要時間の長さに応じて初期ポイントを付与するようにしてもよい。すなわち、所要時間が短い使用者は習熟度が高いため、高めの初期ポイント、例えば２０ポイントを付与し、所要時間が長い使用者は習熟度が低いため、低めの所期ポイント、例えば１０ポイントを付与するようにしてもよい。
【００５０】
あるいは、制御装置１０４は、使用者が初めてカメラ１００の電源をオンしたときに、カメラ１００の操作に関する複数の質問をモニタ１０６上に表示し、回答結果を採点する。そして、その採点結果に応じて初期ポイントを付与するようにしてもよい。すなわち、得点が高い使用者は習熟度が高いため、高めの初期ポイント、例えば２０ポイントを付与し、得点が低い使用者は習熟度が低いため、低めの所期ポイント、例えば１０ポイントを付与するようにしてもよい。
【００５１】
（６）上述した実施の形態では、制御装置１０４は、使用者の累積ポイント数に基づいて、警告を表示するか否かを判断する例について説明した。しかしながら、制御装置１０４は、使用者によるカメラ１００の使用頻度も加味して警告を表示するか否かを判断するようにしてもよい。例えば、制御装置１０４は、過去３ヶ月以内の撮影枚数が所定以上、例えば５００枚以上の使用者は、カメラ１００の使用頻度が高いと判断する。そして、このような使用頻度の高い使用者は、上述した必要ポイント数の６割に到達した時点で警告を出さないようにする。具体的には、スポット測光の場合の必要ポイント数は１００であるが、使用頻度の高い使用者の場合には、必要ポイント数を６０ポイントに変更する。これによって、使用頻度が高い使用者は、そうでない使用者よりも習熟度が高い可能性があることを加味して、警告を出すための判断基準を緩和することができる。
【００５２】
（７）上述した実施の形態では、制御装置１０４は、使用者によって撮影が行われた場合にのみポイントを加算するようにし、使用者が設定を行ったのみで撮影を行わなかった場合には、ポイントを加算しないようにした。しかしながら、使用者が設定を行ったのみで撮影を行わなかった場合にもポイントを加算するようにしてもよい。この場合、設定後に撮影を行った場合には、設定のみを行った場合よりも多くのポイントを加算するようにしてもよい。
【００５３】
（８）また、使用者が複数のカメラを所有しており、各カメラが通信機能を備えている場合には、各カメラ間で使用者の累積ポイント数を共有するようにしてもよい。例えば、２台以上のカメラを有線接続、または無線接続し、各カメラのフラッシュメモリに記録されているポイント加算履歴に基づいて、累積ポイント数の同期をとるようにしてもよい。
【００５４】
なお、本発明の特徴的な機能を損なわない限り、本発明は、上述した実施の形態における構成に何ら限定されない。
【図面の簡単な説明】
【００５５】
【図１】カメラ１００の一実施の形態の構成を示すブロック図である。
【図２】使用者に対する警告方法の具体例を示す図である。
【図３】制御装置１０４によって実行される処理を示すフローチャート図である。
【符号の説明】
【００５６】
１００  カメラ、１０１  操作部材、１０２  レンズ、１０３  撮像素子、１０４  制御装置、１０５  メモリカードスロット、１０６  モニタ
【図１】
2009200895.tif 000003
【図２】
2009200895.tif 000004
【図３】
2009200895.tif 000005